(57)【要約】【課題】当該情報記録媒体を装填する装置側に導入してある暗号化ソフトと復号化ソフトとの如何に拘らずに、媒体独自の情報の暗号化、復号化が可能であり、また持ち運びに極めて好適で利便性が高い情報記録媒体を提供する。【解決手段】不正に複製されたディスクではなく当該ディスクが真正なディスクであることを示す認証ソフト３１と、暗号化に使用する暗号化ソフト３２と、復号化に使用する復号化ソフト３３とを予め記録形成したＲＯＭ領域３と、暗号化したファイル２１を記録形成する記録可能領域２とを有している。【選択図】  図１
2004303321.tif 000002
【特許請求の範囲】
【請求項１】
暗号化した情報を記録した後に前記暗号化した情報を復号化して再生する１組の暗号化記録及び復号化再生が１の情報記録媒体を用いて完結し、前記情報記録媒体と、前記情報記録媒体を装填して情報の記録再生を行う制御装置とを有してなる情報記録媒体記録再生システムであって、
前記情報記録媒体は、
当該情報記録媒体が真正な情報記録媒体であることを認証する際に使用する認証ソフトウェアと、前記暗号化に使用する暗号化用ソフトウェアと、前記復号化に使用する復号化用ソフトウェアとを予め記録形成した再生専用領域と、
前記暗号化した情報を記録形成する記録可能領域とを有しており、
前記制御装置は、
装填された前記情報記録媒体の前記再生専用領域から前記認証ソフトウェアを読み出して、当該情報記録媒体が真正なものであることを認証する認証手段と、
前記認証手段で前記情報記録媒体が真正なものであると認証された後に、前記情報記録媒体を使用する人が予め登録された特定の使用者であることを確認するための暗証データを受け付け、受け付けた前記暗証データが前記特定の使用者が予め登録した暗証データと一致することを確認する使用者確認手段と、
前記使用者確認手段で前記特定の使用者が予め登録した暗証データであると確認された後に、前記情報記録媒体の前記再生専用領域から前記暗号化用ソフトウェアを起動して、前記特定の使用者が記録したい情報を暗号化した暗号化データファイルを作成する暗号化データファイル作成手段と、
前記暗号化データファイル作成手段で作成した前記暗号化データファイルを、前記情報記録媒体の前記記録可能領域又は当該制御装置に関連する記録可能領域に記録する記録手段と、
前記使用者確認手段で前記特定の使用者が予め登録した暗証データであると確認された後に、前記情報記録媒体の前記記録可能領域又は当該制御装置に関連する前記記録可能領域から前記暗号化データファイル作成手段で作成した前記暗号化データファイルを読み出して、前記情報記録媒体の前記再生専用領域から前記復号化用ソフトウェアを起動して、復号して、前記特定の使用者が再生したい情報を再生する再生手段とを備えたことを特徴とする情報記録媒体記録再生システム。
【請求項２】
請求項１記載の情報記録媒体記録再生システムに用いられる情報記録媒体であって、
当該情報記録媒体が真正な情報記録媒体であることを認証する際に使用する認証ソフトウェアと、情報の暗号化に使用する暗号化用ソフトウェアと、前記暗号化用ソフトウェアで暗号化された暗号化データファイルを復号化する復号化用ソフトウェアとを予め記録形成してなる再生専用領域と、
前記暗号化した情報を記録形成する記録可能領域とを有することを特徴とする情報記録媒体。
【請求項３】
暗号化した情報を記録した後に前記暗号化した情報を復号化して再生する１組の暗号化記録及び復号化再生が１の情報記録媒体を用いて完結し、前記情報記録媒体と、前記情報記録媒体を装填して情報の記録再生を行う制御装置とを有してなる情報記録媒体記録再生方法であって、
前記情報記録媒体は、
当該情報記録媒体が真正な情報記録媒体であることを認証する際に使用する認証ソフトウェアと、前記暗号化に使用する暗号化用ソフトウェアと、前記復号化に使用する復号化用ソフトウェアとを予め記録形成してなる再生専用領域と、
前記暗号化した情報を記録形成する記録可能領域とを有しており、
前記情報記録媒体の前記再生専用領域から前記認証ソフトウェアを読み出して、当該情報記録媒体が真正なものであることを認証する認証ステップと、
前記認証ステップで前記情報記録媒体が真正なものであると認証された後に、前記情報記録媒体を使用する人が予め登録された特定の使用者であることを確認するための暗証データを受け付け、受け付けた前記暗証データが前記特定の使用者が予め登録した暗証データと一致することを確認する使用者確認ステップと、
前記使用者確認ステップで前記特定の使用者が予め登録した暗証データであると確認された後に、前記情報記録媒体の前記再生専用領域から前記暗号化用ソフトウェアを起動して、前記特定の使用者が記録したい情報を暗号化した暗号化データファイルを作成する暗号化データファイル作成ステップと、
前記暗号化データファイル作成ステップで作成した前記暗号化データファイルを、前記情報記録媒体の前記記録可能領域又は前記制御装置に内蔵されている記録可能領域に記録する記録ステップと、
前記使用者確認ステップで前記特定の使用者が予め登録した暗証データであると確認された後に、前記情報記録媒体の前記記録可能領域又は当該制御装置に関連する前記記録可能領域から前記暗号化データファイル作成ステップで作成した前記暗号化データファイルを読み出して、前記情報記録媒体の前記再生専用領域から前記復号化用ソフトウェアを起動して復号して、前記特定の使用者が再生したい情報を再生する再生ステップとを備えたことを特徴とする情報記録媒体記録再生方法。
【請求項４】
暗号化した情報を記録した後に前記暗号化した情報を復号化して再生する１組の暗号化記録及び復号化再生が１の情報記録媒体を用いて完結し、前記情報記録媒体を記録再生するようにコンピュータに実行させるための情報記録媒体記録再生プログラムであって、
前記情報記録媒体は、
当該情報記録媒体が真正な情報記録媒体であることを認証する際に使用する認証ソフトウェアと、前記暗号化に使用する暗号化用ソフトウェアと、前記復号化に使用する復号化用ソフトウェアとを予め記録形成してなる再生専用領域と、
前記暗号化した情報を記録形成する記録可能領域とを有しており、
前記情報記録媒体の前記再生専用領域から前記認証ソフトウェアを読み出して、当該情報記録媒体が真正なものであることを認証する認証ステップと、
前記認証ステップで前記情報記録媒体が真正なものであると認証された後に、前記情報記録媒体を使用する人が予め登録された特定の使用者であることを確認するための暗証データを受け付け、受け付けた前記暗証データが前記特定の使用者が予め登録した暗証データと一致することを確認する使用者確認ステップと、
前記使用者確認ステップで前記特定の使用者が予め登録した暗証データであると確認された後に、前記情報記録媒体の前記再生専用領域から前記暗号化用ソフトウェアを起動して、前記特定の使用者が記録したい情報を暗号化した暗号化データファイルを作成する暗号化データファイル作成ステップと、
前記暗号化データファイル作成ステップで作成した前記暗号化データファイルを、前記情報記録媒体の前記記録可能領域又は前記制御装置に内蔵されている記録可能領域に記録する記録ステップと、
前記使用者確認ステップで前記特定の使用者が予め登録した暗証データであると確認された後に、前記情報記録媒体の前記記録可能領域又は当該制御装置に関連する前記記録可能領域から前記暗号化データファイル作成ステップで作成した前記暗号化データファイルを読み出して、前記情報記録媒体の前記再生専用領域から前記復号化用ソフトウェアを起動して復号して、前記特定の使用者が再生したい情報を再生する再生ステップとを備えたことを特徴とする情報記録媒体記録再生プログラム。
【発明の詳細な説明】
【０００１】
【発明の属する技術分野】
本発明は、１セットである暗号化ソフトと復号化ソフトとを予め記録してある再生専用領域とユーザが任意の情報を記録可能である記録可能領域とを有する情報記録媒体を用いて、前記記録可能領域へ情報を記録再生する際に、当該情報記録媒体の真正を認証ソフトを用いて認証してから前記した暗号化ソフト、復号化ソフトを起動して記録再生するべき情報の暗号化、復号化を行うことによって、当該情報記録媒体を装填する装置側に導入してある暗号化ソフトと復号化ソフトとの如何に拘らずに、媒体独自の情報の暗号化、復号化が可能であり、また持ち運びに極めて好適で利便性が高い情報記録媒体記録再生システム、情報記録媒体、情報記録媒体記録再生方法、情報記録媒体記録再生プログラムに関する。
【０００２】
【従来の技術】
ハーソナルコンピュータ（パソコン）の普及により、一般的なアプリケーション、例えば表計算ソフト、ワープロソフトでデータファイルを作成し、可搬可能な記録メディア、例えばフレキシブルディスク（ＦＤ）、または記録可能ディスク（例えば、追記録可能なコンパクトディスク（ＣＤ−Ｒ），繰り返し記録可能な（ＣＤ−ＲＷ），追記録可能なデジタル多用途ディスク（ＤＶＤ−Ｒ），繰り返し記録可能なデジタル多用途ディスク（ＤＶＤ−ＲＷ，ＤＶＤ−ＲＡＭ）といった光ディスク、あるいは光磁気ディスク（ＭＯ）など）に記録することは広く行われている。
【０００３】
このように作成されたデータファイルは、この種のアプリケーションが導入されているパソコンであれば、簡単にこのデータファイルを開き、閲覧、編集が可能である。
しかし、これら作成したデータファイルの中には特定の人以外に見られては困る秘密性が高いデータファイルが存在する。秘密性を高めるための方法の一例として、マイクロソフト（Ｍｉｃｒｏｓｏｆｔｔ）社のＷｏｒｄｓ２００２（商品名）では、データファイル作成時に暗証番号を入力してデータファイルを暗号化する方法が提供され、暗号化されたデータファイルを開くときは暗証番号を入力することで、復号化する方法が行われている。
【０００４】
また他の方法として、データファイルの暗号化、復号化するアプリケーションの製品も市販され、ユーザはこのソフトをパソコンにインストールして、パソコン内のデータファイルを暗号化、復号化することが可能である。
【０００５】
さらに、別の方法として、特許文献１には、同一ディスク内に予め記録された領域に再生アプリケーションを記録し、他の領域にメディア使用者が自由に記録できる記録可能領域をもち、これらが連動して動作するハイブリッドディスクの実施例が開示されている。この方法では、予め記録された領域（ＲＯＭ領域）とメディア使用者による記録可能領域（ＲＡＭ領域）があり、両領域の記録情報が連動して動作することは開示されているが、ユーザ領域であるＲＡＭ領域に記録された情報を暗号化することや、暗号化、復号化する機能を同一ディスク内にあることまでは開示されていない。
【０００６】
また、別の方法として、特許文献２には、インターネット上あるコンテンツにアクセスし、それを利用する際の認証方法が開示されており、認証に必要な個人認証データのＩＤ（Ｉｄｅｎｔｉｆｉｃａｔｉｏｎ）とパスワードとをパソコン内に残さず、可搬可能なカードに記録する方法を開示している。この方式の利点として、認証データをパソコン内に残さないため、セキュリティ上安全が高まるとされている。
カード内データを情報処理装置にコピーできない手段として、カードメディアに個別に暗証番号を登録しておき、暗証番号が一致したときのみ、内部データにアクセスする手法を開示している。具体的には、カードの暗証番号を事前登録し、ブラウザのアプリケーションはユーザにカードメディア暗証番号を入力させ、その一致をもって本人確認し、メディアに記録された内部データ（ＩＤとパスワード）にアクセスできる仕組みを提案している。
【０００７】
しかし、このカードメディアに記録されるメディアの暗証番号、ならびにコンテンツにアクセスするための個人認証データを記録するだけで、コンテンツと連動するデータファイルの作成と記録方法および、これらデータファイルの暗号化、復号化する機能をもっておらず、ネットのブラウザと連動してカードメディアの暗証番号を確認する手法を開示しているだけに過ぎない。つまり、特許文献２には、個人認証データのみの守秘性を守る観点から、個人認証データを入れたカードメディアの認証に暗証番号を使うことを開示しただけのものである。
【０００８】
【特許文献１】
特開２００２−２６０３４０
【０００９】
【特許文献２】
特開２００２−３５１８４７
【００１０】
【発明が解決しようとする課題】
上記した従来の技術においてで述べた暗号化、復号化するアプリケーションは、いずれも、これら暗号化、復号化の機能をパソコンにインストールされていることが前提であり、例えば移動先のパソコンでこれらアプリケーションがインストールされていない場合は、暗号化されたデータファイルを開くことができない欠点があった。
【００１１】
一方、これらデータファイルを作成するアプリケーションの種類やバージョンを選ばず、どのパソコンでも暗号化、復号化が可能にするには、記録するディスク内に暗号化、復号化のソフトを記録すれば、ユーザの利便性が格段に上がることは明白である。
しかしながら、同一ディスクに、暗号化ソフト、復号ソフト及び暗号されたデータファイルを同居させることは、鍵と錠前を一緒に保管するようなもので、悪意をもったハッカの攻撃を想定すると、非常に危険なシステムとなることは言うまでもない。このためユーザの利便性と暗号化データファイルの安全性を両立させるシステムの構築が求められていた。
【００１２】
そこで本発明は上記した課題に鑑みて創案されたものであり、具体的には、パソコンのアプリケーションに依存しない形で、再生専用領域及び記録可能領域を共に備えた情報記録媒体の前記再生専用領域にデータファイルを暗号化、復号化するソフトと、当該情報記録媒体をを不正なコピーから守る認証ソフトとを予め記録形成しておき、ユーザの希望するデータファイルを前記記録可能領域内に記録するときは、同一情報記録媒体内の前記暗号化ソフトで前記記録可能領域に暗号化データファイルとして記録し、また暗号化して記録されているデータファイルの復号は同一情報記録媒体内の前記復号化ソフトを用いて行う構成によって、暗号化データファイルの元となるデータファイルを作るアプリケーションを装置側に導入されている暗号化ソフトに無関係に暗号化が可能となるので、暗号化したデータファイルの秘匿性を高めることができるという効果があり、また、暗号化したデータファイルの復号化においても、暗号化と同様に装置側に導入されている復号化ソフトと無関係に復号化が可能となるので、これまた復号化したデータファイルの秘匿性を高めることができるという効果があり、さらに、暗号化シーケンス及び復号化シーケンスとも、認証によるコピープロテクトで保護されるため、暗号化ソフト、複合化ソフト、暗号化データファイルの三者が同居する守秘性の低下を確実に防止でき、さらに、副次的効果として、こうした情報記録媒体の使用前に違法複製品を作ろうとしても、コピープロテクトにより困難なため、この種の情報記録媒体製造者及びその販売者の権利を守る有効な手段になるなどの効果を有する情報記録媒体記録再生システム、情報記録媒体、情報記録媒体記録再生方法、情報記録媒体記録再生プログラムを提供することを目的とする。
【００１３】
【課題を解決するための手段】
上述した課題を解決するために、本発明は下記（１）〜（４）の構成を有する情報記録媒体記録再生システム、情報記録媒体、情報記録媒体記録再生方法、情報記録媒体記録再生プログラムを提供する。
（１）  暗号化した情報を記録した後に前記暗号化した情報を復号化して再生する１組の暗号化記録及び復号化再生が１の情報記録媒体を用いて完結し、前記情報記録媒体と、前記情報記録媒体を装填して情報の記録再生を行う制御装置とを有してなる情報記録媒体記録再生システムであって、
前記情報記録媒体は、
当該情報記録媒体が真正な情報記録媒体であることを認証する際に使用する認証ソフトウェアと、前記暗号化に使用する暗号化用ソフトウェアと、前記復号化に使用する復号化用ソフトウェアとを予め記録形成した再生専用領域と、
前記暗号化した情報を記録形成する記録可能領域とを有しており、
前記制御装置は、
装填された前記情報記録媒体の前記再生専用領域から前記認証ソフトウェアを読み出して、当該情報記録媒体が真正なものであることを認証する認証手段と、
前記認証手段で前記情報記録媒体が真正なものであると認証された後に、前記情報記録媒体を使用する人が予め登録された特定の使用者であることを確認するための暗証データを受け付け、受け付けた前記暗証データが前記特定の使用者が予め登録した暗証データと一致することを確認する使用者確認手段と、
前記使用者確認手段で前記特定の使用者が予め登録した暗証データであると確認された後に、前記情報記録媒体の前記再生専用領域から前記暗号化用ソフトウェアを起動して、前記特定の使用者が記録したい情報を暗号化した暗号化データファイルを作成する暗号化データファイル作成手段と、
前記暗号化データファイル作成手段で作成した前記暗号化データファイルを、前記情報記録媒体の前記記録可能領域又は当該制御装置に関連する記録可能領域に記録する記録手段と、
前記使用者確認手段で前記特定の使用者が予め登録した暗証データであると確認された後に、前記情報記録媒体の前記記録可能領域又は当該制御装置に関連する前記記録可能領域から前記暗号化データファイル作成手段で作成した前記暗号化データファイルを読み出して、前記情報記録媒体の前記再生専用領域から前記復号化用ソフトウェアを起動して、復号して、前記特定の使用者が再生したい情報を再生する再生手段とを備えたことを特徴とする情報記録媒体記録再生システム。
（２）  請求項１記載の情報記録媒体記録再生システムに用いられる情報記録媒体であって、
当該情報記録媒体が真正な情報記録媒体であることを認証する際に使用する認証ソフトウェアと、情報の暗号化に使用する暗号化用ソフトウェアと、前記暗号化用ソフトウェアで暗号化された暗号化データファイルを復号化する復号化用ソフトウェアとを予め記録形成してなる再生専用領域と、
前記暗号化した情報を記録形成する記録可能領域とを有することを特徴とする情報記録媒体。
（３）  暗号化した情報を記録した後に前記暗号化した情報を復号化して再生する１組の暗号化記録及び復号化再生が１の情報記録媒体を用いて完結し、前記情報記録媒体と、前記情報記録媒体を装填して情報の記録再生を行う制御装置とを有してなる情報記録媒体記録再生方法であって、
前記情報記録媒体は、
当該情報記録媒体が真正な情報記録媒体であることを認証する際に使用する認証ソフトウェアと、前記暗号化に使用する暗号化用ソフトウェアと、前記復号化に使用する復号化用ソフトウェアとを予め記録形成してなる再生専用領域と、
前記暗号化した情報を記録形成する記録可能領域とを有しており、
前記情報記録媒体の前記再生専用領域から前記認証ソフトウェアを読み出して、当該情報記録媒体が真正なものであることを認証する認証ステップと、
前記認証ステップで前記情報記録媒体が真正なものであると認証された後に、前記情報記録媒体を使用する人が予め登録された特定の使用者であることを確認するための暗証データを受け付け、受け付けた前記暗証データが前記特定の使用者が予め登録した暗証データと一致することを確認する使用者確認ステップと、
前記使用者確認ステップで前記特定の使用者が予め登録した暗証データであると確認された後に、前記情報記録媒体の前記再生専用領域から前記暗号化用ソフトウェアを起動して、前記特定の使用者が記録したい情報を暗号化した暗号化データファイルを作成する暗号化データファイル作成ステップと、
前記暗号化データファイル作成ステップで作成した前記暗号化データファイルを、前記情報記録媒体の前記記録可能領域又は前記制御装置に内蔵されている記録可能領域に記録する記録ステップと、
前記使用者確認ステップで前記特定の使用者が予め登録した暗証データであると確認された後に、前記情報記録媒体の前記記録可能領域又は当該制御装置に関連する前記記録可能領域から前記暗号化データファイル作成ステップで作成した前記暗号化データファイルを読み出して、前記情報記録媒体の前記再生専用領域から前記復号化用ソフトウェアを起動して復号して、前記特定の使用者が再生したい情報を再生する再生ステップとを備えたことを特徴とする情報記録媒体記録再生方法。
（４）  暗号化した情報を記録した後に前記暗号化した情報を復号化して再生する１組の暗号化記録及び復号化再生が１の情報記録媒体を用いて完結し、前記情報記録媒体を記録再生するようにコンピュータに実行させるための情報記録媒体記録再生プログラムであって、
前記情報記録媒体は、
当該情報記録媒体が真正な情報記録媒体であることを認証する際に使用する認証ソフトウェアと、前記暗号化に使用する暗号化用ソフトウェアと、前記復号化に使用する復号化用ソフトウェアとを予め記録形成してなる再生専用領域と、
前記暗号化した情報を記録形成する記録可能領域とを有しており、
前記情報記録媒体の前記再生専用領域から前記認証ソフトウェアを読み出して、当該情報記録媒体が真正なものであることを認証する認証ステップと、
前記認証ステップで前記情報記録媒体が真正なものであると認証された後に、前記情報記録媒体を使用する人が予め登録された特定の使用者であることを確認するための暗証データを受け付け、受け付けた前記暗証データが前記特定の使用者が予め登録した暗証データと一致することを確認する使用者確認ステップと、
前記使用者確認ステップで前記特定の使用者が予め登録した暗証データであると確認された後に、前記情報記録媒体の前記再生専用領域から前記暗号化用ソフトウェアを起動して、前記特定の使用者が記録したい情報を暗号化した暗号化データファイルを作成する暗号化データファイル作成ステップと、
前記暗号化データファイル作成ステップで作成した前記暗号化データファイルを、前記情報記録媒体の前記記録可能領域又は前記制御装置に内蔵されている記録可能領域に記録する記録ステップと、
前記使用者確認ステップで前記特定の使用者が予め登録した暗証データであると確認された後に、前記情報記録媒体の前記記録可能領域又は当該制御装置に関連する前記記録可能領域から前記暗号化データファイル作成ステップで作成した前記暗号化データファイルを読み出して、前記情報記録媒体の前記再生専用領域から前記復号化用ソフトウェアを起動して復号して、前記特定の使用者が再生したい情報を再生する再生ステップとを備えたことを特徴とする情報記録媒体記録再生プログラム。
【００１４】
【発明の実施の形態】
以下、本発明の実施の態様につきその好ましい実施例について図面と共に説明する。
【００１５】
図１は本発明の情報記録媒体の一実施例であるディスク外観図、図２は図１に示すディスクのＲＯＭ領域と記録可能領域との各記録内容の一例を説明するための図、図３，図４はそれぞれ図１に示すディスクのＲＯＭ領域に予め記録されている暗号化ソフトウェアが実行する暗号化フローチャート，復号化ソフトウェアが実行する復号化フローチャートを示す図、図５は本発明の情報記録媒体記録再生システムを説明するための図である。
【００１６】
図１〜図５中、１はディスク（情報記録媒体）、２は記録可能領域、３は再生専用領域（ＲＯＭ領域）、４はクランプ領域、５はセンタ穴、１０はパーソナルコンピュータ本体（パソコン、制御装置）、１０Ａは中央演算部（ＣＰＵ）、１０ＢはＲＯＭ部（ＲＯＭ）、１０ＣはＲＡＭ部（ＲＡＭ）、１０Ｄはキーボード、１０Ｅはディスクドライブ、１０Ｆはフレキシブルディスクドライブ（ＦＤドライブ）、１０Ｆは通信手段（送受信手段）、１１は通信ネット（インターネット、ローカルネット）、１２はメモリ手段（メモリ）、１３はフレキシブルディスク（ＦＤ）、２１は暗号化データファイル、２２は未記録領域（未記録）、３１は認証ソフトウェア（認証ソフト）、３２は暗号化ソフトウェア（暗号化ソフト）、３３は復号化ソフトウェア（復号化ソフト）、Ａは情報記録媒体記録再生システムである。前記したＣＰＵ１０Ａは暗号化フローチャート（図３）及び復号化フローチャート（図４）を実行制御する。
【００１７】
前記したディスク１は、ＣＤ−Ｒ，ＣＤ−ＲＷ，ＤＶＤ−Ｒ，ＤＶＤ−ＲＷ，ＤＶＤ−ＲＡＭなどの追記又は繰り返し記録可能な光ディスク、あるいは光磁気ディスクなどのディスクであり、図１に示すように、内周から外周に向って順次、センタ穴５、クランプ領域４、ＲＯＭ領域３、記録可能領域２が形成されている。
【００１８】
前記したディスク１の記録可能領域２は、追記可能あるいは繰り返し記録可能な記録可能領域である。例えば、前記したディスク１がＣＤ−Ｒ，ＤＶＤ−Ｒの場合には、追記可能な記録領域（色素記録層を有するＲ領域）となり、また、前記したディスク１がＣＤ−ＲＷ，ＤＶＤ−ＲＷの場合には、繰り返し記録可能な記録領域（相変化記録層を有するＲＷ領域）となり、さらに、前記したディスク１がＤＶＤ−ＲＡＭの場合には、繰り返し記録可能な記録領域（相変化記録層を有しＲＷ領域の記録組成とは異なる記録組成を有するＲＡＭ領域）となる。この記録可能領域２には、図３に示すように、暗号化ソフト３２によって暗号化された暗号化データファイル２１が記録されているが、この未記録領域２２に、暗号化された他の暗号化データファイルや別の情報を記録しても良い。
【００１９】
前記したディスク１のＲＯＭ領域３は、ディスク１の出荷時に予め特定の情報が微小のピット列形状で記録形成されている再生専用領域である。このＲＯＭ領域３には、図３に示すように、認証ソフト３１、暗号化ソフト３２、復号化ソフト３３がそれぞれ記録されている。また、図３で示しているソフト３１〜３３の他に必要に追じて、他のソフトを含む情報を予め記録しておいても良いことは言うまでもない。認証ソフト３１は当該ディスク１が真正なディスクであることを確認し認証するために、デイスクの特定記録領域に格納されている認証データを検知するためのソフトウェアである。言うまでもないが暗号化ソフト３２で暗号化したデータファイルは復号化ソフト３３で復号化すると元のデータファイルに戻すことができる。
【００２０】
前記したパーソナルコンピュータ本体１０は、ＣＰＵ１０Ａ、ＲＯＭ１０Ｂ、ＲＡＭ１０Ｃ、キーボード１０Ｄを有している。ディスクドライブ１０Ｅ、ＦＤドライブ１０Ｆ、通信手段１０Ｅは本体１０に収容されてあっても良いし、必要に応じて本体１０（ＣＰＵ１０Ａ）に着脱可能なように接続されてあっても良い。
【００２１】
図５に示した構成において、ユーザはキーボード１０Ｄを操作して制御指示をＣＰＵ１０Ａに対して出力すると、ＣＰＵ１０Ａはユーザの制御指示を解読し、この制御指示を実行するに必要な各部分（ＲＯＭ１０Ｂ、ＲＡＭ１０Ｃ、ディスクドライブ１０Ｅ、ＦＤドライブ１０Ｆ、通信手段１０Ｅ）に対して、制御指示に応じた制御命令を発することにより、ユーザの制御指示は実行されるという周知の制御動作を行う。
【００２２】
前記したディスクドライブ１０Ｅは前記したディスク１を装填し、ＣＰＵ１０Ａの駆動記録再生制御に応じて、装填中のディスク１に対する情報の記録再生を行う。同様に、前記したＦＤドライブ１０Ｆは前記したＦＤ１３を装填し、ＣＰＵ１０Ａの駆動記録再生制御に応じて、装填中のＦＤ１３に対する情報の記録再生を行う。通信手段１０Ｅは通信線を介してローカルネットワークあるいはインターネットの通信ネット１１に接続されており、この通信ネット１１に接続されている外部メモリ手段１２との間で情報の授受を行うための信号変換を行う。
【００２３】
ここで、本発明の情報記録媒体記録再生システム、情報記録媒体、情報記録媒体記録再生方法、情報記録媒体記録再生プログラムの構成について、順次説明する。
【００２４】
本発明の情報記録媒体記録再生システムは、図１〜図５に示すように、
（暗号化ソフトを用いて）暗号化した情報を記録した後に前記暗号化した情報（暗号化データファイル）を復号化して再生する１組の暗号化記録及び復号化再生が１の情報記録媒体（ディスク）１を用いて完結し、前記情報記録媒体１と、前記情報記録媒体１を（ディスクドライブ１０Ｅに）装填して情報の記録再生を行う制御装置（パーソナルコンピュータ本体）１０とを有してなる情報記録媒体記録再生システムＡであって、
前記情報記録媒体１は、
（不正に複製された情報記録媒体ではなく）当該情報記録媒体が真正な情報記録媒体であることを認証する際に使用する認証ソフトウェア（認証ソフト）３１と、前記暗号化に使用する暗号化用ソフトウェア（暗号化ソフト）３２と、前記復号化に使用する復号化用ソフトウェア（復号化ソフト）３３とを予め記録形成した再生専用領域（ＲＯＭ領域）３と、
前記暗号化した情報（暗号化データファイル）２１を記録形成する記録可能領域２とを有しており、
前記制御装置１０は、
装填された前記情報記録媒体１の前記再生専用領域３から前記認証ソフトウェア３１を読み出して、当該情報記録媒体１が真正なものであることを認証する認証手段（図３に示すファイル読込処理Ａ１、認証処理Ａ２を順次実行する手段）と、
前記認証手段で前記情報記録媒体１が真正なものであると認証された後に、前記情報記録媒体１を使用する人（ユーザ）が予め登録された特定の使用者であることを確認するための暗証データ（パスワード）を受け付け、受け付けた前記暗証データが前記特定の使用者が予め登録した暗証データと一致することを確認する使用者確認手段（図３に示す暗証番号入力Ａ４を実行する手段あるいは図４に示す暗証番号入力Ｂ４を実行する手段）と、
前記使用者確認手段で前記特定の使用者が予め登録した暗証データであると確認された後に、前記情報記録媒体１の前記再生専用領域３から前記暗号化用ソフトウェア３２を起動して、前記特定の使用者が記録したい情報を暗号化した暗号化データファイル（暗号化ファイル）２１を作成する暗号化データファイル作成手段（図３に示すファイル暗号化処理Ａ５を実行する手段）と、
前記暗号化データファイル作成手段で作成した前記暗号化ファイル２１を、前記情報記録媒体１の前記記録可能領域２又は当該制御装置に関連する記録可能領域（ＲＡＭ１０Ｃ、ＦＤドライブ１０Ｆを介してＦＤ１３の記録可能領域、あるいは通信手段１０Ｅを介して通信ネット１１に接続するメモリ手段１２の記録可能領域）に記録する記録手段（図３に示すように、ファイル書込処理Ａ６を実行する手段）と、
前記使用者確認手段（図４に示す暗証番号入力Ｂ４を実行する手段）で前記特定の使用者が予め登録した暗証データであると確認された後に、前記情報記録媒体１の前記記録可能領域２又は当該制御装置に関連する前記記録可能領域（ＲＡＭ１０Ｃ、ＦＤドライブ１０Ｆを介してＦＤ１３の記録可能領域、あるいは通信手段１０Ｅを介して通信ネット１１に接続するメモリ手段１２の記録可能領域）から前記暗号化データファイル作成手段で作成した前記暗号化ファイル２１を読み出して、前記情報記録媒体１の前記再生専用領域３から前記復号化用ソフトウェア（復号化ソフト）３３を起動して、復号して、前記特定の使用者が再生したい情報を再生する再生手段（図４に示すファイル復号化処理をＢ５を実行する手段）とを備えたことを特徴とする情報記録媒体記録再生システムである。
【００２５】
また、本発明の情報記録媒体は、前述した本発明の情報記録媒体記録再生システムに用いられる情報記録媒体であって、図１、図２に示すように、
（不正に複製された情報記録媒体ではなく）当該情報記録媒体が真正な情報記録媒体であることを認証する際に使用する認証ソフトウェア（認証ソフト）３１と、前記暗号化に使用する暗号化用ソフトウェア（暗号化ソフト）３２と、前記復号化に使用する復号化用ソフトウェア（復号化ソフト）３３とを予め記録形成した再生専用領域（ＲＯＭ領域）３と、
前記暗号化した情報（暗号化データファイル）２１を記録形成する記録可能領域２とを有することを特徴とする情報記録媒体である。
【００２６】
さらに、本発明の情報記録媒体記録再生方法は、図１〜図５に示すように、
（暗号化ソフトを用いて）暗号化した情報を記録した後に前記暗号化した情報（暗号化データファイル）を復号化して再生する１組の暗号化記録及び復号化再生が１の情報記録媒体（ディスク）１を用いて完結し、前記情報記録媒体１と、前記情報記録媒体１を（ディスクドライブ１０Ｅに）装填して情報の記録再生を行う制御装置（パーソナルコンピュータ本体）１０とを有してなる情報記録媒体記録再生方法であって、
前記情報記録媒体１は、
（不正に複製された情報記録媒体ではなく）当該情報記録媒体が真正な情報記録媒体であることを認証する際に使用する認証ソフトウェア（認証ソフト）３１と、前記暗号化に使用する暗号化用ソフトウェア（暗号化ソフト）３２と、前記復号化に使用する復号化用ソフトウェア（復号化ソフト）３３とを予め記録形成した再生専用領域（ＲＯＭ領域）３と、
前記暗号化した情報（暗号化データファイル）２１を記録形成する記録可能領域２とを有しており、
（装填された）前記情報記録媒体１の前記再生専用領域３から前記認証ソフトウェア３１を読み出して、当該情報記録媒体１が真正なものであることを認証する認証ステップ（図３に示すファイル読込処理Ａ１、認証処理Ａ２を順次実行するステップ）と、
前記認証ステップで前記情報記録媒体１が真正なものであると認証された後に、前記情報記録媒体１を使用する人（ユーザ）が予め登録された特定の使用者であることを確認するための暗証データ（パスワード）を受け付け、受け付けた前記暗証データが前記特定の使用者が予め登録した暗証データと一致することを確認する使用者確認ステップ（図３に示す暗証番号入力Ａ４を実行するステップあるいは図４に示す暗証番号入力Ｂ４を実行するステップ）と、
前記使用者確認ステップで前記特定の使用者が予め登録した暗証データであると確認された後に、前記情報記録媒体１の前記再生専用領域３から前記暗号化用ソフトウェア３２を起動して、前記特定の使用者が記録したい情報を暗号化した暗号化ファイル２１を作成する暗号化データファイル作成ステップ（図３に示すファイル暗号化処理Ａ５を実行するステップ）と、
前記暗号化データファイル作成ステップで作成した前記暗号化ファイル２１を、前記情報記録媒体１の前記記録可能領域２又は当該制御装置に関連する記録可能領域（ＲＡＭ１０Ｃ、ＦＤドライブ１０Ｆを介してＦＤ１３の記録可能領域、あるいは通信手段１０Ｅを介して通信ネット１１に接続するメモリ手段１２の記録可能領域）に記録する記録ステップ（図３に示すように、ファイル書込処理Ａ６を実行するステップ）と、
前記使用者確認ステップ（図４に示す暗証番号入力Ｂ４を実行するステップ）で前記特定の使用者が予め登録した暗証データであると確認された後に、前記情報記録媒体１の前記記録可能領域２又は当該制御装置に関連する前記記録可能領域（ＲＡＭ１０Ｃ、ＦＤドライブ１０Ｆを介してＦＤ１３の記録可能領域、あるいは通信手段１０Ｅを介して通信ネット１１に接続するメモリ手段１２の記録可能領域）から前記暗号化データファイル作成手段で作成した前記暗号化ファイル２１を読み出して、前記情報記録媒体１の前記再生専用領域３から前記復号化用ソフトウェア（復号化ソフト）３３を起動して、復号して、前記特定の使用者が再生したい情報を再生する再生ステップ（図４に示すファイル復号化処理をＢ５を実行するステップ）とを備えたことを特徴とする情報記録媒体記録再生方法である。
【００２７】
さらに、本発明の情報記録媒体記録再生プログラムは、図１〜図５に示すように、
（暗号化ソフトを用いて）暗号化した情報を記録した後に前記暗号化した情報（暗号化データファイル）を復号化して再生する１組の暗号化記録及び復号化再生が１の情報記録媒体（ディスク）１を用いて完結し、前記情報記録媒体１を記録再生するようにコンピュータ（ＣＰＵ１０Ａ）に実行させるための情報記録媒体記録再生プログラムであって、
前記情報記録媒体１は、
（不正に複製された情報記録媒体ではなく）当該情報記録媒体が真正な情報記録媒体であることを認証する際に使用する認証ソフトウェア（認証ソフト）３１と、前記暗号化に使用する暗号化用ソフトウェア（暗号化ソフト）３２と、前記復号化に使用する復号化用ソフトウェア（復号化ソフト）３３とを予め記録形成した再生専用領域（ＲＯＭ領域）３と、
前記暗号化した情報（暗号化データファイル）２１を記録形成する記録可能領域２とを有しており、
（装填された）前記情報記録媒体１の前記再生専用領域３から前記認証データ３１を読み出して、当該情報記録媒体１が真正なものであることを認証する認証ステップ（図３に示すファイル読込処理Ａ１、認証処理Ａ２を順次実行するステップ）と、
前記認証ステップで前記情報記録媒体１が真正なものであると認証された後に、前記情報記録媒体１を使用する人（ユーザ）が予め登録された特定の使用者であることを確認するための暗証データ（パスワード）を受け付け、受け付けた前記暗証データが前記特定の使用者が予め登録した暗証データと一致することを確認する使用者確認ステップ（図３に示す暗証番号入力Ａ４を実行するステップあるいは図４に示す暗証番号入力Ｂ４を実行するステップ）と、
前記使用者確認ステップで前記特定の使用者が予め登録した暗証データであると確認された後に、前記情報記録媒体１の前記再生専用領域３から前記暗号化用ソフトウェア３２を起動して、前記特定の使用者が記録したい情報を暗号化した暗号化ファイル２１を作成する暗号化データファイル作成ステップ（図３に示すファイル暗号化処理Ａ５を実行するステップ）と、
前記暗号化データファイル作成ステップで作成した前記暗号化ファイル２１を、前記情報記録媒体１の前記記録可能領域２又は当該制御装置に関連する記録可能領域（ＲＡＭ１０Ｃ、ＦＤドライブ１０Ｆを介してＦＤ１３の記録可能領域、あるいは通信手段１０Ｅを介して通信ネット１１に接続するメモリ手段１２の記録可能領域）に記録する記録ステップ（図３に示すように、ファイル書込処理Ａ６を実行するステップ）と、
前記使用者確認ステップ（図４に示す暗証番号入力Ｂ４を実行するステップ）で前記特定の使用者が予め登録した暗証データであると確認された後に、前記情報記録媒体１の前記記録可能領域２又は当該制御装置に関連する前記記録可能領域（ＲＡＭ１０Ｃ、ＦＤドライブ１０Ｆを介してＦＤ１３の記録可能領域、あるいは通信手段１０Ｅを介して通信ネット１１に接続するメモリ手段１２の記録可能領域）から前記暗号化データファイル作成手段で作成した前記暗号化ファイル２１を読み出して、前記情報記録媒体１の前記再生専用領域３から前記復号化用ソフトウェア（復号化ソフト）３３を起動して、復号して、前記特定の使用者が再生したい情報を再生する再生ステップ（図４に示すファイル復号化処理をＢ５を実行するステップ）とを備えたことを特徴とする情報記録媒体記録再生プログラムである。
【００２８】
次に、本発明の具体的な実施例について説明する。
【００２９】
図１は本発明の一実施例である、追記型の記録メディアのＣＤ−Ｒディスク１は、図１に示すように、内周のセンタ穴５を取り囲む形でクランプ領域４、その外側に本発明のアプリケーションソフトを記録するＲＯＭ領域３と記録データファイルを暗号化して記録する記録可能領域２から構成されている。
【００３０】
また、図２に示すように、ＲＯＭ領域３にはコピープロテクトの機能をもつ認証ソフト３１、記録データファイルを暗号化する暗号化ソフト３２、暗号化データファイルを復号する復号化ソフト３３が記録され、製品時にはこれらのソフトが記録されて出荷される。
【００３１】
前述した構成のディスク１（図１、図２）は以下のように使用する。
ユーザはディスクをパソコン１０（図５）で起動し、暗号化したいデータファイルを選択し、図３に示す暗号化フローチャートに従い、生成された暗号化データファイルを追記領域２の暗号化ファイル２１としてディスク内周から順に記録する。このため、図２では未使用の追加記録可能な領域として未記録２２の領域が残っている様子を示してある。
【００３２】
一方、復号においては、ユーザは前記した暗号化ファイル２１が記録されているディスク１をパソコン１０で起動し、復号したいファイルをディスク内の暗号化データファイルから選択し、図４に示す復号化フローチャートに従い、暗号化前の元のデータファイルに戻すことができる。
【００３３】
図３に示すのは前記した認証ソフト３１（図２）とリンクする暗号化ソフトの内容を示す暗号化フローチャート図であり、このプログラムはパソコン１０にローディングされ、対象となるデータファイルをパソコン上で暗号化データファイルに変換し、ＣＤ−Ｒディスク１に記録するものである。
【００３４】
本発明の対象となるデータファイルは、パソコンのソフトウェアのアプリケーションで作成されても、デジタルカメラ等のハードウェアで作成された、例えば画像データファイルでもよく、また、複数ファイルをまとめたフォルダであってもよい。
【００３５】
図３のフローチャートについて、順次説明する。
【００３６】
（１）ファイル読込処理Ａ１は、対象となる暗号化前のデータファイルを、例えばＷｉｎｄｏｗｓ（登録商標）のエクスプローラから選択し、パソコン１０のメモリ（図５に示すＲＡＭ１０Ｃ）へ読込処理を行う。
【００３７】
（２）認証処理Ａ２は、ファイル読込処理Ａ１で選択したデータファイルを暗号化する処理の前にメディア（ディスク）が本物（真正）か、偽物かの認証を行い、本物ならば暗証番号入力Ａ４から始まる暗号化処理Ａ５を実行し、偽物ならば処理を中止し、エラー処理Ａ３を行うメディアコピープロテクト機能である。
【００３８】
メディアの認証方法は一般的なＣＤ−ＲＯＭディスクのコピープロテクト法であればよく、例えば、特開平４−１１９５６１号公報に開示された方法で可能である。即ち、この技術は本物ディスクに特殊信号を記録し、これをコピーするとコピーディスク（偽物ディスク）には特殊信号がコピーされず、この特殊信号の有無でディスクの真贋判定をするというものである。
【００３９】
この種のコピープロテクトを用い、本発明はメディア内の暗号化フローチャートに従うソフトの開始時にメディアの真贋判定し、本物ならソフトをディスク内から起動する仕組みにすることで、暗号化ソフトと認証ソフトの両方がないと動作しないようにすることが可能となる。
【００４０】
この結果、コピーディスクから動作させたり、ＲＯＭ領域３のソフトをパソコンに取込んで動作させようとしても、暗号化フローチャートは本物ディスクを要求するため、ＲＯＭ領域３のセキュリティを高めるばかりでなく、記録可能領域２に書込み済の暗号化データファイルも保護することとなる。
【００４１】
（３）エラー処理Ａ３は、暗号化シーケンスの対象となるＣＤ−Ｒディスクが偽物と判断したときの処理で、何回かの再試行をうながすメッセージを表示し、本物ディスクでないと判断すると、全体処理のプログラムを終了する。
【００４２】
（４）暗証番号入力Ａ４は、暗号化処理のため暗証番号（パスワード）を入力する。
【００４３】
（５）ファイル暗号化処理Ａ５は、暗証番号入力Ａ４の入力値に対応する暗号化処理が施される。具体的には、暗証番号によるスクランブルおよび加減乗除等の計算処理により、暗号化されたデータファイルを生成する。
【００４４】
（６）ファイル書込み処理Ａ６は、ファイル暗号化処理Ａ５で生成したデータファイルをＣＤ−Ｒディスク１の記録可能領域２の暗号化ファイル２１として記録する。
このデータファイル書込み処理は、本発明の暗号化シーケンスに必須であるが、機能としてディスク内に入れておく必然はなく、パソコンの一般的なアプリケーションであるＣＤ−Ｒディスクのライティングソフトであってもよい。
【００４５】
図４は本発明の認証ソフトとリンクする復号化フローチャート図であり、このプログラムはパソコン１０にローディングされ、対象となる暗号化ファイル２１をパソコン１０上で復号し、データファイルを作成したアプリケーションで通常に読込できる形のデータファイルに変換するものである。
【００４６】
（１）ファイル読込処理Ｂ１は、対象となる暗号化のファイル２１を、例えばＷｉｎｄｏｗｓ（登録商標）のエクスプローラから選択し、パソコン１０のメモリ（ＲＡＭょ１０Ｃへ読込処理を行う。
【００４７】
（２）認証処理Ｂ２は、ファイル読込処理Ｂ１で選択した暗号化ファイル２１を復号化処理する前にメディア（ディスク）が本物か、偽物かの認証を行い、本物ならば暗証番号入力Ｂ４から始まる復号化処理Ｂ５を実行し、偽物ならば処理を中止し、エラー処理Ｂ３を行うメディアコピープロテクト機能である。
【００４８】
メディアの認証方法は一般的なＣＤ−ＲＯＭディスクのコピープロテクト法であればよく、例えば、特開平４−１１９５６１号公報に開示された方法で可能である。即ち、この技術は本物ディスクに特殊信号を記録し、これをコピーするとコピーディスク（偽物ディスク）には特殊信号がコピーされず、この特殊信号の有無でディスクの真贋判定をするというものである。
【００４９】
この種のコピープロテクトを用い、本発明はメディア内の復号化フローチャートに従うソフトの開始時にメディアの真贋判定し、本物ならソフトをディスク内から起動する仕組みにすることで、復号化ソフトと認証ソフトの両方がないと動作しないようにすることが可能となる。
【００５０】
この結果、コピーディスクから動作させたり、ＲＯＭ領域３のソフトをパソコンに取込んで動作させようとしても、復号化フローチャートは本物ディスクを要求するため、ＲＯＭ領域３のセキュリティを高めるばかりでなく、記録可能領域２に書込み済の暗号化データファイルも保護することとなる。
【００５１】
（３）エラー処理Ｂ３は、復号化シーケンスの対象となるＣＤ−Ｒディスクが偽物と判断したときの処理で、何回かの再試行をうながすメッセージを表示し、本物ディスクでないと判断すると、全体処理のプログラムを終了する。
【００５２】
（４）暗証番号入力Ｂ４は、復号化処理のため暗証番号（パスワード）を入力する。
【００５３】
（５）ファイル復号化処理Ｂ５は、暗証番号入力Ｂ４の入力値に対応する復号化処理が施される。具体的には、暗証番号によるファイル暗号化処理Ａ５の逆処理により復号化されたデータファイルを生成する。
【００５４】
（６）ファイル保存処理Ｂ６は、ファイル復号化処理Ｂ５で生成した復号化データファイルをパソコンの所定の箇所に保存する。この復号化データファイルは、データファイルを開くことができるアプリケーションを起動することでユーザの使用に提供される。
【００５５】
このように、ディスク１に書き込まれる暗号化ファイル２１はファイル単位でも、複数データファイルをまとめたフォルダでも可能である。また、記録可能回数についてはＣＤ−Ｒメディアの記録法を規定するオレンジブックに準拠すれば、一回でも、複数回でも可能である。
【００５６】
また、図３および図４のシーケンスにおいて、各機能をブロック図で表し、別々のデータファイルから構成されているように見えるが、実際のＲＯＭ領域３はこれらを統合し、一つの実行データファイルの形式にできることは一般的な技術レベルで容易な範囲である
【００５７】
なお、本実施例では、本発明の情報記録媒体をＣＤ−Ｒディスクを例に説明したが、記録可能領域を繰返し使用できるＣＤ−ＲＷディスクでも効果は変わらず、また他のディスク、例えばＤＶＤディスクでも同様な効果がえられる。
また、本発明はディスクに限定するものでなく、可搬可能なパソコン等の情報機器で対応する半導体メモリでも、このような機能を組見込むことは可能であり、同様な効果を発揮できることは言うまでもない。
【００５８】
本発明は、ＣＤ−Ｒディスク内に、暗号化ソフトと暗号化データファイルとを記録する領域を一緒にすることで、暗号化データファイルの元となるデータファイルを作るアプリケーションを選ばずに暗号化が可能とすることができる。
【００５９】
また、データファイルの復号化において、暗号化と同様にＣＤ−Ｒディスク内に復号化ソフトと暗号化データファイルとを一緒にすることで、暗号化ファイルの元となるデータファイルを作るアプリケーションによらず復号化を可能とすることができる。このことはデータファイルを作成したパソコンと異なるパソコンで暗号化ファイルを開く必要があるときにも効果的で、従来のパソコン内にインストールして使うアプリケーションでは、例えばインターネットに接続されていないため、アプリケーションをやりとりできないとか、同一アプリケーションがあるがバージョンが違うため、暗号化、復号化ができないということなく、データファイルを復号化できることである。
【００６０】
また、暗号化シーケンスおよび復号化シーケンスとも、認証によるコピープロテクトで保護されるため、暗号化ソフト、複合化ソフト、暗号化データファイルの３者が同居する守秘性の低下を解決できる。
【００６１】
さらに、副次的効果として、ＣＤ−Ｒディスクの購入者が使用前にディスクの違法複製品を作ろうとしても、コピープロテクトにより困難なため、この種のディスク製造者および販売者の権利を守る有効な手段になる。
【００６２】
【発明の効果】
上述したように本発明によれば、パソコンのアプリケーションに依存しない形で、再生専用領域及び記録可能領域を共に備えた情報記録媒体の前記再生専用領域にデータファイルを暗号化、復号化するソフトと、当該情報記録媒体をを不正なコピーから守る認証ソフトとを予め記録形成しておき、ユーザの希望するデータファイルを前記記録可能領域内に記録するときは、同一情報記録媒体内の前記暗号化ソフトで前記記録可能領域に暗号化データファイルとして記録し、また暗号化して記録されているデータファイルの復号は同一情報記録媒体内の前記復号化ソフトを用いて行う構成によって、暗号化データファイルの元となるデータファイルを作るアプリケーションを装置側に導入されている暗号化ソフトに無関係に暗号化が可能となるので、暗号化したデータファイルの秘匿性を高めることができるという効果があり、また、暗号化したデータファイルの復号化においても、暗号化と同様に装置側に導入されている復号化ソフトと無関係に復号化が可能となるので、これまた復号化したデータファイルの秘匿性を高めることができるという効果があり、さらに、暗号化シーケンス及び復号化シーケンスとも、認証によるコピープロテクトで保護されるため、暗号化ソフト、複合化ソフト、暗号化データファイルの三者が同居する守秘性の低下を確実に防止でき、さらに、副次的効果として、こうした情報記録媒体の使用前に違法複製品を作ろうとしても、コピープロテクトにより困難なため、この種の情報記録媒体製造者及びその販売者の権利を守る有効な手段になるなどの効果を有する情報記録媒体記録再生システム、情報記録媒体、情報記録媒体記録再生方法、情報記録媒体記録再生プログラムを提供することができる。
【図面の簡単な説明】
【図１】本発明の情報記録媒体の一実施例であるディスク外観図
【図２】図１に示すディスクのＲＯＭ領域と記録可能領域との各記録内容の一例を説明するための図
【図３】図１に示すディスクのＲＯＭ領域に予め記録されている暗号化ソフトウェアが実行する暗号化フローチャートを示す図
【図４】図１に示すディスクのＲＯＭ領域に予め記録されている復号化ソフトウェアが実行する復号化フローチャートを示す図
【図５】本発明の情報記録媒体記録再生システムを説明するための図
【符号の説明】
１  ディスク（情報記録媒体）
２  記録可能領域
３  再生専用領域（ＲＯＭ領域）
１０  パーソナルコンピュータ本体（パソコン、制御装置）
２１  暗号化データファイル（暗号化データ）
３１  認証ソフトウェア（認証ソフト）
３２  暗号化ソフトウェア（暗号化ソフト）
３３  復号化ソフトウェア（復号化ソフト）
Ａ  情報記録媒体記録再生システム
【図１】
2004303321.tif 000003
【図２】
2004303321.tif 000004
【図３】
2004303321.tif 000005
【図４】
2004303321.tif 000006
【図５】
2004303321.tif 000007